(57)【要約】【課題】ホスト機器の主電源を投入することなく、ディスクドライブ装置内を確認する。【解決手段】透視部５１が形成されたホスト機器５０内に組み込まれることにより駆動されるディスクドライブ装置において、ディスク状記録媒体４が載置されるディスク載置部５と、ディスク状記録媒体４を回転駆動するディスク回転駆動機構２１と、ディスク状記録媒体４に対して情報信号の記録及び／又は再生を行う記録及び／又は再生機構２２と、ホスト機器５０に形成された透視部５１に対応して設けられ、ディスク載置部５に載置されたディスク状記録媒体４の一部を透視部５１を介してホスト機器５０の外部に臨ませる透孔１２が設けられた装置本体７とを備える。【選択図】図１
2005251364.tif 000002
【特許請求の範囲】
【請求項１】
透視部が形成されたホスト機器内に組み込まれることにより駆動されるディスクドライブ装置において、
ディスク状記録媒体が載置されるディスク載置部と、
上記ディスク状記録媒体を回転駆動するディスク回転駆動機構と、
上記ディスク状記録媒体に対して情報信号の記録及び／又は再生を行う記録及び／又は再生機構と、
上記ホスト機器に形成された透視部に対応して設けられ、上記ディスク載置部に載置された上記ディスク状記録媒体の一部を上記透視部を介して上記ホスト機器の外部に臨ませる透孔が設けられた装置本体とを備えるディスクドライブ装置。
【請求項２】
上記透孔には光透過性のカバーが設けられていることを特徴とする請求項１記載のディスクドライブ装置。
【請求項３】
上記カバーは、上記透孔内に挿入されることにより、該透孔が形成された上記装置本体の内壁と略面一となる膨出部が形成されていることを特徴とする請求項２記載のディスクドライブ装置。
【請求項４】
上記透孔は、少なくとも上記ディスク状記録媒体の回転方向下流側の外周部に装置本体の外面側から内面側に向かって装置本体内に臨まされる傾斜面が形成されていることを特徴とする請求項１又は２記載のディスクドライブ装置。
【請求項５】
上記カバーは静電防止材を備えることを特徴とする請求項２乃至４いずれか一項記載のディスクドライブ装置。
【請求項６】
ディスクドライブ装置が組み込まれ、上記ディスクドライブ装置と一体に用いられる電子機器において、
上記ディスクドライブ装置が収納される収納部と、上記収納部を外部に臨ませる透視部が形成された機器本体と、
ディスク状記録媒体が載置されるディスク載置部と、上記ディスク状記録媒体を回転駆動するディスク回転駆動機構と、上記ディスク状記録媒体に対して情報信号の記録及び／又は再生を行う記録及び／又は再生機構と、上記機器本体に形成された透視部に対応して設けられ、上記ディスク載置部に載置された上記ディスク状記録媒体の一部を上記透視部を介して上記機器本体の外部に臨ませる透孔が設けられた装置本体とを備え、上記収納部に収納されたディスクドライブ装置とを備える電子機器。
【請求項７】
上記透孔には光透過性のカバーが設けられていることを特徴とする請求項６記載の電子機器。
【請求項８】
上記カバーは、上記透孔内に挿入されることにより、該透孔が形成された上記装置本体の内壁と略面一となる膨出部が形成されていることを特徴とする請求項７記載の電子機器。
【請求項９】
上記透孔は、少なくとも上記ディスク状記録媒体の回転方向下流側の外周部に装置本体の外面側から内面側に向かって装置本体内に臨まされる傾斜面が形成されていることを特徴とする請求項６又は７記載の電子機器。
【請求項１０】
上記カバーは静電防止剤を備えることを特徴とする請求項７乃至９いずれか一項記載の電子機器。
【発明の詳細な説明】
【技術分野】
【０００１】
本発明は、ディスク状記録媒体に対して情報信号の記録及び／又は再生を行うディスクドライブ装置に関し、特に、パソコンやＤＶＤレコーダ、ゲーム機器等のホスト機器の外筐体に組み込まれて、ホスト機器と一体に用いられるディスクドライブ装置及びかかるディスクドライブ装置が組み込まれた電子機器に関する。
【背景技術】
【０００２】
従来より、ＣＤ（compact disk）、ＤＶＤ（digital versatile disc）等の光ディスクの記録及び／又は再生用のディスクドライブ装置であって、ノート型パソコンやデスクトップ型パソコン等のホスト機器の外筐体に設けられたドライブベイに搭載される薄型のディスクドライブ装置が用いられている。この種のディスクドライブ装置は、上下一対のハーフからなる装置本体が予め規格化されたドライブベイのサイズに応じた大きさに形成され、ホスト機器のドライブベイに組み込まれることにより当該ホスト機器と一体化され、当該ホスト機器より駆動電源を受けて使用されている。
【０００３】
かかるディスクドライブ装置には、限られたスペースの中でディスク状記録媒体の着脱及び記録及び／又は再生位置への搬送を行う必要から、ディスク状記録媒体の載置部を備え、装置本体の内外に亘って移動自在とされたディスクトレイが設けられたものがある。このディスクトレイには、載置部に載置されたディスク状記録媒体をチャッキングし回転駆動するディスク回転駆動機構及びディスク状記録媒体に対して情報信号の記録及び／又は再生を行う光ピックアップ機構が配設されたベースユニットが一体に取り付けられている。
【０００４】
そして、ディスク状記録媒体は、装置本体から引き出されたディスクトレイの載置部に載置されることによりディスク回転駆動機構にチャッキングされ、次いで、ディスクトレイが装置本体内に押し込まれることによりディスクドライブ装置内に収納される。その後、ディスク状記録媒体は、光ピックアップ機構によって情報信号が読み出され、ホスト機器に出力され、またホスト機器より情報信号が記録される。
【０００５】
【特許文献１】特許第３２８０３２１号公報
【発明の開示】
【発明が解決しようとする課題】
【０００６】
しかし、上述したディスクドライブ装置は、ディスク状記録媒体が一旦装置本体内に収納されると、ディスクトレイを引き出さない限り、装置本体内に載置されているディスク状記録媒体の種類等の確認を行うことができない。ユーザにおいては、一旦ディスク状記録媒体をディスクドライブ装置に収納すると、そのままホスト機器の主電源が切られることが多く、装置本体内に載置されているディスク状記録媒体が所望のものか確認を行うためには再度ホスト機器の電源を投入し、ディスクトレイを引き出す必要があった。
【０００７】
また、ホスト機器の中には一旦主電源を投入すると、電源を落とすまでに相当の電力及び時間を要するものもあるため、ホスト機器の外からドライブ装置内にディスク状記録媒体が収納されているか否か、また、収納されているディスク状記録媒体の判別が、ホスト機器の主電源を投入することなくできればユーザの使い勝手が上がり便利である。
【０００８】
そこで本発明は、ホスト機器の主電源を投入することなく、ディスクドライブ装置内にディスク状記録媒体が収納されているか否か、又は収納されているディスク状記録媒体を確認することができるディスクドライブ装置及びかかるディスクドライブ装置が組み込まれた電子機器を提供することを目的とする。
【課題を解決するための手段】
【０００９】
上述した課題を解決するために、本発明にかかるディスクドライブ装置は、透視部が形成されたホスト機器内に組み込まれることにより駆動されるディスクドライブ装置において、ディスク状記録媒体が載置されるディスク載置部と、上記ディスク状記録媒体を回転駆動するディスク回転駆動機構と、上記ディスク状記録媒体に対して情報信号の記録及び／又は再生を行う記録及び／又は再生機構と、上記ホスト機器に形成された透視部に対応して設けられ、上記ディスク載置部に載置された上記ディスク状記録媒体の一部を上記透視部を介して上記ホスト機器の外部に臨ませる透孔が設けられた装置本体とを備える。
【００１０】
また、本発明にかかる電子機器は、ディスクドライブ装置が組み込まれ、上記ディスクドライブ装置と一体に用いられる電子機器において、上記ディスクドライブ装置が収納される収納部と、上記収納部を外部に臨ませる透視部が形成された機器本体と、ディスク状記録媒体が載置されるディスク載置部と、上記ディスク状記録媒体を回転駆動するディスク回転駆動機構と、上記ディスク状記録媒体に対して情報信号の記録及び／又は再生を行う記録及び／又は再生機構と、上記機器本体に形成された透視部に対応して設けられ、上記ディスク載置部に載置された上記ディスク状記録媒体の一部を上記透視部を介して上記機器本体の外部に臨ませる透孔が設けられた装置本体とを備え、上記収納部に収納されたディスクドライブ装置とを備える。
【発明の効果】
【００１１】
このようなディスクドライブ装置及び電子機器によれば、ホスト機器内に搭載されることにより、ホスト機器に形成された透視部の真下に装置本体に形成された透孔が位置される。これにより、ディスクドライブ装置は、ホスト機器の透視部及び装置本体に形成された透孔を介して、ホスト機器の外から装置本体内にディスク状記録媒体が収納されているか否か、又は装置本体内に収納されたディスク状記録媒体の確認を行うことができる。したがって、本発明が適用されたディスクドライブ装置によれば、装置本体内に収納されているディスク状記録媒体を確かめるためにホスト機器の主電源を投入し、ディスク載置部をホスト機器外へ排出させる必要がない。
【００１２】
ここで、ホスト機器の中には一旦主電源を投入すると、電源を落とすまでに相当の電力及び時間を要するものもあるため、このディスクドライブ装置によれば、ホスト機器の外から装置本体内にディスク状記録媒体が収納されているか否か、また、収納されているディスク状記録媒体の判別を、ホスト機器の主電源を投入することなく行うことができ、ユーザの使い勝手を向上させることができる。
【発明を実施するための最良の形態】
【００１３】
以下、本発明が適用されたディスクドライブ装置及び電子機器について、図面を参照しながら詳細に説明する。
【００１４】
先ず、ディスクドライブ装置１が搭載されるホスト機器についてノート型パソコン５０を例に説明する。このノート型パソコン５０は、図１に示すように、ディスクドライブ装置１が搭載されるドライブベイを備える。また、ノート型パソコン５０は、このドライブベイに搭載される後述するディスクドライブ装置１の透孔に対応して透孔５１が形成されている。
【００１５】
この透孔５１は、例えば略矩形状の開口部が設けられるとともに、この開口部が光透過性の樹脂やガラス等のカバーによって覆われることにより形成されている。そして透孔５１は、ディスクドライブ装置１がドライブベイに搭載されると、ディスクドライブ装置１の装置本体７に設けられた透孔が位置し、装置本体７内に収納された光ディスク４の確認を行うことができる。
【００１６】
このようなノート型パソコン５０のドライブベイに搭載されるディスクドライブ装置１は、ＣＤ（compact disk）、ＤＶＤ（digital versatile disc）等の光ディスクの記録及び／又は再生用のドライブ装置である。このディスクドライブ装置１は、図２及び図３に示すように、略矩形状の装置本体７を有し、装置本体７の内部に光ディスク４が載置されるディスクトレイ５と、ディスクトレイ５と一体に接続され、光ディスク４を回転自在に保持するとともに光ディスク４に対して情報信号の再生を行う光ピックアップユニット６とを備える。
【００１７】
ディスクドライブ装置１の装置本体７は、図４に示すように、上下一対のハーフ８，９を突き合わせて形成されている。上下ハーフ８，９は、金属板から打ち抜き成形され、穴開け等の加工が施されて形成される。
【００１８】
装置本体７の下ハーフ９は、ディスクトレイ５が装置本体７外へ引き出される一端側が開放され、この開放端と対向する側に背面壁が形成され、これらを挟んだ両側縁部に一対の側壁が立ち上がり形成されている。
【００１９】
相対向する側壁には、ディスクトレイ５の装置本体７からの挿脱をガイドする図示しないガイドレールが背面壁側から開放端にかけて形成されている。ガイドレールは、断面略コ字状に形成され、コ字状の凹部を装置本体７側に向けて配設されている。このガイドレールは、凹部にディスクトレイ５の側面部が摺動自在に係合され、ディスクトレイの装置本体７の内外に亘る移動をガイドしている。
【００２０】
この下ハーフ９と突き合わせられ、装置本体７を構成する上ハーフ８は、装置本体７の上面となる天板部１０を有し、上記下ハーフ９と同様にディスクトレイ５が装置本体７外へ引き出される一端側が開放され、この開放端と対向する側に背面壁が形成され、これらを挟んだ両側縁部に一対の側壁が立ち上がり形成されている。上ハーフ８の天板部１０は、略中央部に、後述する光ピックアップユニット６に設けられたディスク回転駆動機構のディスクテーブルの上面が臨まされる開口部１１が形成されている。
【００２１】
また、天板部１０は、上記ノート型パソコン５０に形成された透孔５１に対応して透孔１２が形成されている。この透孔１２は、例えば略矩形状の開口部が設けられて形成されるとともに、この開口部が光透過性の樹脂やガラス等のカバー１３によって覆われている。そして透孔１２は、ディスクドライブ装置１がノート型パソコン５０のドライブベイに搭載されると、ノート型パソコン５０に設けられた透孔５１の真下に位置される。したがって、ディスクドライブ装置１は、ノート型パソコン５０の透孔５１及び上ハーフ８の天板部１０に形成された透孔１２を介して、ノート型パソコン５０の外から装置本体７内に光ディスク４が収納されているか否か、又は装置本体７内に収納された光ディスク４の確認を行うことができる。
【００２２】
なお、ディスクドライブ装置１は、図５に示すように、透孔１２を、カバーで覆うことなく開口部を設けることにより形成してもよい。ディスクドライブ装置１は、ノート型パソコン５０のドライブベイに搭載されノート型パソコン５０と一体で使用されるものであり、ユーザが直接透孔１２に触れることがないため、透孔１２をカバーで覆わなくとも問題はない。
【００２３】
この装置本体７より挿脱されるディスクトレイ５は、光ディスク４が載置されるディスク載置部１５が形成されている。ディスク載置部１５は、略円形の凹部からなり、主面部にディスクトレイ５に収納された光ピックアップユニット６のディスクテーブル及び対物レンズを光ディスク４側に臨ませる開口部１６が形成されている。開口部１６は、光ピックアップユニット６のベースシャーシに取り付けられた載置板１７と、ベースシャーシに取り付けられ載置板を介して上方に臨まされたディスクテーブル２６及び対物レンズ２８を光ディスク４側に臨ませている。
【００２４】
またディスクトレイ５は、裏面側に、光ピックアップユニット６及び詳細は省略するが、ディスクトレイ５を装置本体７内に係合保持する保持機構が設けられている。したがって、光ピックアップユニット６は、図３に示すように、ディスクトレイ５と一体に装置本体７の内外に亘って搬送される。
【００２５】
次いで、このディスクトレイ５の裏面に設けられる光ピックアップユニット６は、ユニット本体を構成するベースシャーシ２０と、ベースシャーシ２０と一体的に形成され、光ディスク４を回転自在に保持するディスク回転駆動機構２１と、ディスク回転駆動機構２１に保持された光ディスク４に対して情報信号の記録又は再生を行う光ピックアップ機構２２とを有する。
【００２６】
ベースシャーシ２０は、略矩形状に形成され、光ピックアップ機構２２の対物レンズ２８を光ディスク４の信号記録面側に臨ます開口部２５が形成されている。また、ベースシャーシ２０は、図示しないが、光ピックアップ機構２２のピックアップベース２７を光ディスク４の径方向に移動させるピックアップ移動機構及びピックアップベース２７の移動をガイドする一対のガイド軸が配設されている。また、開口部２５は、長手方向の一端側に略円弧状の切欠部が形成され、光ディスク４を保持するディスク回転駆動機構２１のディスクテーブルが臨まされている。
【００２７】
光ディスク４を回転するディスク回転駆動機構２１は、光ディスク４を回転する図示しないスピンドルモータと、スピンドルモータのスピンドル軸に設けられ光ディスク４が装着されるディスクテーブル２６とを有する。そして、ディスク回転駆動機構２１は、光ディスク４をＣＬＶ（Constant Linear Velocity）、ＣＡＶ（Cnstant Angular Velocity）又はＣＬＶとＣＡＶとを組み合わせた速度で回転駆動する。
【００２８】
ディスクテーブルに載置された光ディスク４に対して情報信号の記録又は再生を行う光ピックアップ機構２２は、略矩形の筐体からなるピックアップベース２７を備え、このピックアップベース２７に、少なくとも、半導体レーザなどの図示しない光源と、この光源から照射した光ビームを光ディスク４の信号記録面に収束させて照射する対物レンズ２８と、光ディスク４の記録面から反射の戻り光を検出する図示しない光検出器と、対物レンズ２８を光ディスク４のフォーカシング方向及びトラッキング方向に駆動させる駆動系が配設されている。
【００２９】
そして、光ピックアップ機構２２は、ピックアップベース２７がベースシャーシ２０の開口部２５の相対向する側縁部に配設された一対のガイド軸に支持されることにより、光ディスク４の内外周に亘る移動をガイドされると共に対物レンズ２８が開口部２５より光ディスク４の信号記録面と対峙される。
【００３０】
以上のような構成を備えたディスクドライブ装置１は、図１に示すように、ノート型パソコン５０等のホスト機器のドライブベイに搭載されると、ノート型パソコン５０に形成された透孔５１の真下に装置本体７の上面に形成された透孔１２が位置される。これにより、ディスクドライブ装置１は、ノート型パソコン５０の透孔５１及び上ハーフ８の天板部１０に形成された透孔１２を介して、ノート型パソコン５０の外から装置本体７内に光ディスク４が収納されているか否か、又は装置本体７内に収納された光ディスク４の確認を行うことができる。したがって、本発明が適用されたディスクドライブ装置１によれば、ディスクドライブ装置１内に収納されている光ディスク４を確かめるためにノート型パソコン５０の主電源を投入し、ディスクトレイ５を排出させる必要がない。
【００３１】
ここで、ノート型パソコン５０等のホスト機器の中には一旦主電源を投入すると、電源を落とすまでに相当の電力及び時間を要するものもあるため、ディスクドライブ装置１は、ノート型パソコン５０の外からディスクドライブ装置１内に光ディスク４が収納されているか否か、また、収納されている光ディスク４の判別を、ノート型パソコン５０の主電源を投入することなく行うことができ、ユーザの使い勝手を向上させることができる。
【００３２】
次いで、本発明が適用されたディスクドライブ装置の他の実施例について説明する。なお、以下の説明において、上述したディスクドライブ装置１と同一の部材については同一の符号を付してその詳細を省略する。
【００３３】
本発明が適用されたディスクドライブ装置は、透孔１２を覆う透明のカバーとして、透孔１２内に挿入されることにより、この透孔１２が形成された上ハーフ８の天板１０の内側面と略面一となる膨出部３１が形成されたカバー３０を用いてもよい。
【００３４】
このカバー３０は、図６に示すように、上記カバー１３と同様に光透過性の樹脂やガラス等によって形成されている。また、カバー３０は、装置本体７の内面側に透孔１２の開口部内に挿入される膨出部３１が形成されている。図７に図２に示す透孔１２のＡ−Ａ’断面図を示す。膨出部３１は、透孔１２の開口部と略同一の大きさに形成され、透孔１２内に挿入されることにより、図７に示すように、透孔１２が穿設された天板部１０の内側面と略面一とされる。これにより、ディスクドライブ装置１は、透孔１２の外周部とカバーとの間に塵埃等が付着することを防止することができる。
【００３５】
すなわち、上述したカバー１３は膨出部を備えていないため、透孔１２上に貼着されると、図８に示すように、透孔１２の外周部とカバー１３との間で段差部１４が形成される。そして、光ディスク４が回転駆動されると、光ディスク４の回転方向である図８中矢印Ｒ方向の下流側に位置する段差部１４ａに、光ディスク４の回転に伴って生じる気流によって塵埃が付着してしまい、この塵埃が堆積することによりディスクトレイ５内に配設されている光ピックアップユニット６に付着するなどの危険が生じうる。
【００３６】
一方、カバー３０を用いたディスクドライブ装置１によれば、透孔１２の開口部内にカバー３０の膨出部３１が挿入され、天板部１０と略面一とされることにより段差部が生じない。したがって、塵埃が付着、堆積することを防止することができる。
【００３７】
また、本発明が適用されたディスクドライブ装置は、透孔の外周部に傾斜面を形成することにより塵埃の付着を防止するようにしてもよい。図９にこの透孔３５の図２に示すＡ−Ａ’断面図を示す。透孔３５は、図９に示すように、少なくとも光ディスク４の回転方向である図９中矢印Ｒ方向の下流側に位置する外周部３５ａに、外面側から内面側に向かって拡径する傾斜面３６が形成されている。すなわち透孔３５は、外面側から内面側に向かって形成される傾斜面３６が装置本体７の内側に臨まされるように面取りされている。
【００３８】
ディスクドライブ装置は、光ディスク４の回転方向下流側の外周部３５ａに傾斜面３６が形成されているため、光ディスク４の回転に伴って生じる気流によって塵埃が発生した場合にも、図９中矢印Ｆに示すように、気流と共に傾斜面３６に沿って流れていくため、透孔３５の外周部に付着、堆積することがない。
【００３９】
なお、この傾斜面３６は、透孔３５の、少なくとも光ディスク４の回転方向下流側の外周部３５ａに形成されている必要があるが、さらに他の外周部、例えば光ディスク４の回転方向上流側の外周部やこれらと直交する側の外周部にも形成してもよい。これにより、さらに透孔３５における気流がスムーズになるため、透孔３５の外周部に塵埃等が付着、堆積することを防止することができる。
【００４０】
また、本発明が適用されたディスクドライブ装置は、上述した透孔１２，３５上を覆う透明のカバー１３，３０を静電防止材によって構成してもよい。静電防止材によってカバー１３，３０を構成することにより、カバー１３，３０が帯電することにより塵埃が付着、堆積することを防止することができる。この種の静電防止材としては、例えば東山フィルム株式会社製ＨＡ−５５等を用いることができる。
【００４１】
なお、カバー１３，３０は、光透過性の樹脂やガラスに静電防止材を貼着することにより構成しても帯電を防止し、塵埃等の付着、堆積を防止することができる。
【産業上の利用可能性】
【００４２】
なお本発明が適用されたディスクドライブ装置は、上述した装置本体７の内外に亘って移動自在に設けられたディスクトレイ５によって光ディスク４を搬送するタイプの他、ディスク挿脱口から光ディスクを直接挿入、排出することができるスロットインタイプのディスクドライブ装置に用いることもできる。
【図面の簡単な説明】
【００４３】
【図１】本発明が適用されたディスクドライブ装置が搭載されたホスト機器を示す斜視図である。
【図２】本発明が適用されたディスクドライブ装置を示す斜視図である。
【図３】ディスクトレイが引き出されたディスクドライブ装置を示す斜視図である。
【図４】ディスクドライブ装置の分解斜視図である。
【図５】本発明が適用された他のディスクドライブ装置を示す斜視図である。
【図６】本発明が適用されたディスクドライブ装置の膨出部が形成されたカバーを示す斜視図である。
【図７】膨出部が形成されたカバーで透孔を覆う様子を示す断面図である。
【図８】本発明が適用されたディスクドライブ装置の透孔及びカバーを示す断面図である。
【図９】本発明が手寄与されたディスクドライブ装置の傾斜面が形成された透孔を示す断面図である。
【符号の説明】
【００４４】
１  ディスクドライブ装置、４  光ディスク、５  ディスクトレイ、６  光ピックアップユニット、７  装置本体、８  上ハーフ、９  下ハーフ、１０  天板部、１１  開口部、１２  透孔、１３，３０  カバー、３１  膨出部、３５  透孔、３６  傾斜面、５０  ノート型パソコン、５１  透孔
【図１】
2005251364.tif 000003
【図２】
2005251364.tif 000004
【図３】
2005251364.tif 000005
【図４】
2005251364.tif 000006
【図５】
2005251364.tif 000007
【図６】
2005251364.tif 000008
【図７】
2005251364.tif 000009
【図８】
2005251364.tif 000010
【図９】
2005251364.tif 000011